(57)【特許請求の範囲】
【請求項１】
ブルートゥースによる接続を介して、ネットワークに接続する情報処理装置において、
ユーザの操作入力を受ける入力手段と、
前記ブルートゥースによる所定のブルートゥース機器への第１の接続を実行する接続手段と、
前記第１の接続により接続された前記所定のブルートゥース機器を介した前記ネットワークへの第２の接続を制御する制御手段と
を備え、
前記情報処理装置のカスタマ登録を前記ユーザが前記情報処理装置から行ったときにサーバに登録された個人情報を用いて利用可能になった前記第２の接続を行うための接続先が前記情報処理装置内に複数登録されている場合において、前記入力手段により前記ユーザから前記ネットワークへの接続を指令する操作入力を受け、複数の前記接続先の中から所定の前記接続先が選択された後、
前記接続手段は前記ブルートゥースによる前記第１の接続を実行し、
前記制御手段は、前記第１の接続により接続された前記所定のブルートゥース機器を介した前記ネットワークへの前記第２の接続を制御し、
前記入力手段により前記ユーザから前記ネットワークへの接続の切断を指令する操作入力を受けたとき、
前記制御手段は、前記所定のブルートゥース機器と前記ネットワークとの前記第２の接続の切断を制御し、
前記接続手段は、前記第２の接続の切断に同期して前記第１の接続を切断する
ことを特徴とする情報処理装置。
【請求項２】
前記ネットワークはインターネットであり、
前記第２の接続は、ダイヤルアップ接続であり、
前記制御手段は、所定のブルートゥース機器と、前記ダイヤルアップ接続により公衆回線網を介した前記インターネットとの接続を制御する
ことを特徴とする請求項１に記載の情報処理装置。
【請求項３】
電子メールの送受信を実行する電子メール送受信手段を更に備え、
前記電子メール送受信手段は、前記第１の接続手段により接続された前記第１の接続、および前記制御手段により接続が制御された前記第２の接続を介して、前記電子メールを送受信する
ことを特徴とする請求項１に記載の情報処理装置。
【請求項４】
ウェブページを閲覧する閲覧手段を更に備え、
前記閲覧手段は、前記第１の接続手段により接続された前記第１の接続、および前記制御手段により接続が制御された前記第２の接続を介して、前記ウェブページが保存されている所定のサーバにアクセスする
ことを特徴とする請求項１に記載の情報処理装置。
【請求項５】
画像を撮像する撮像手段と、
前記撮像手段により撮像された前記画像に所定の画像処理を実行する画像処理手段と
を更に備えることを特徴とする請求項１に記載の情報処理装置。
【請求項６】
前記画像処理手段により画像処理された前記画像を所定のサーバに出力する出力手段を更に備え、
前記出力手段は、前記第１の接続手段により接続された前記第１の接続、および前記制御手段により接続が制御された前記第２の接続を介して、前記所定のサーバに前記画像を出力する
ことを特徴とする請求項５に記載の情報処理装置。
【請求項７】
ブルートゥースによる接続を介して、ネットワークに接続する情報処理装置の情報処理方法において、
ユーザから、第１の接続により接続された所定のブルートゥース機器を介した前記ネットワークへの第２の接続を指令する操作入力を受ける第１の入力ステップと、
前記情報処理装置のカスタマ登録を前記ユーザが前記情報処理装置から行ったときにサーバに登録された個人情報を用いて利用可能になった前記第２の接続を行うための接続先が前記情報処理装置内に複数登録されている場合において、前記第１の入力ステップの処理により前記ユーザの操作入力が受けられ、複数の前記接続先の中から所定の前記接続先が選択された後、前記ブルートゥースによる前記所定のブルートゥース機器への第１の接続を実行する第１の接続ステップと、
前記第１の接続ステップの処理による前記第１の接続の実行に同期して、前記第１の接続により接続された前記所定のブルートゥース機器を介した前記ネットワークへの前記第２の接続を実行する第２の接続ステップと、
前記ユーザから、前記ネットワークへの接続の切断を指令する操作入力を受ける第２の入力ステップと、
前記第２の入力ステップの処理により入力された前記ユーザの操作に従って、前記第２の接続ステップの処理による前記第２の接続を切断する第１の切断ステップと、
前記第１の切断ステップの処理による前記第２の接続の切断に同期して、前記第１の接続ステップの処理による前記第１の接続を切断する第２の切断ステップと
を含むことを特徴とする情報処理方法。
【請求項８】
ブルートゥースによる接続を介して、ネットワークに接続する情報処理装置用のプログラムであって、
ユーザから、第１の接続により接続された所定のブルートゥース機器を介した前記ネットワークへの第２の接続を指令する操作入力を受ける第１の入力ステップと、
前記情報処理装置のカスタマ登録を前記ユーザが前記情報処理装置から行ったときにサーバに登録された個人情報を用いて利用可能になった前記第２の接続を行うための接続先が前記情報処理装置内に複数登録されている場合において、前記第１の入力ステップの処理により前記ユーザの操作入力が受けられ、複数の前記接続先の中から所定の前記接続先が選択された後、前記ブルートゥースによる前記所定のブルートゥース機器への第１の接続を実行する第１の接続ステップと、
前記第１の接続ステップの処理による前記第１の接続の実行に同期して、前記第１の接続により接続された前記所定のブルートゥース機器を介した前記ネットワークへの前記第２の接続を実行する第２の接続ステップと、
前記ユーザから、前記ネットワークへの接続の切断を指令する操作入力を受ける第２の入力ステップと、
前記第２の入力ステップの処理により入力された前記ユーザの操作に従って、前記第２の接続ステップの処理による前記第２の接続を切断する第１の切断ステップと、
前記第１の切断ステップの処理による前記第２の接続の切断に同期して、前記第１の接続ステップの処理による前記第１の接続を切断する第２の切断ステップと
を含むことを特徴とするコンピュータが読み取り可能なプログラムが記録されている記録媒体。
【請求項９】
ブルートゥースによる接続を介して、ネットワークに接続する情報処理装置を制御するコンピュータが実行可能なプログラムであって、
ユーザから、第１の接続により接続された所定のブルートゥース機器を介した前記ネットワークへの第２の接続を指令する操作入力を受ける第１の入力ステップと、
前記情報処理装置のカスタマ登録を前記ユーザが前記情報処理装置から行ったときにサーバに登録された個人情報を用いて利用可能になった前記第２の接続を行うための接続先が前記情報処理装置内に複数登録されている場合において、前記第１の入力ステップの処理により前記ユーザの操作入力が受けられ、複数の前記接続先の中から所定の前記接続先が選択された後、前記ブルートゥースによる前記所定のブルートゥース機器への第１の接続を実行する第１の接続ステップと、
前記第１の接続ステップの処理による前記第１の接続の実行に同期して、前記第１の接続により接続された前記所定のブルートゥース機器を介した前記ネットワークへの前記第２の接続を実行する第２の接続ステップと、
前記ユーザから、前記ネットワークへの接続の切断を指令する操作入力を受ける第２の入力ステップと、
前記第２の入力ステップの処理により入力された前記ユーザの操作に従って、前記第２の接続ステップの処理による前記第２の接続を切断する第１の切断ステップと、
前記第１の切断ステップの処理による前記第２の接続の切断に同期して、前記第１の接続ステップの処理による前記第１の接続を切断する第２の切断ステップと
を含むことを特徴とするプログラム。
【発明の詳細な説明】
【０００１】
【発明の属する技術分野】
本発明は、情報処理装置および情報処理方法、記録媒体、並びにプログラムに関し、特に、近距離無線通信による接続と、それとは異なる接続を介してネットワークに接続する場合、ネットワークに実際に接続するときにだけ、近距離無線通信による接続を実行することができる情報処理装置および情報処理方法、記録媒体、並びにプログラムに関する。
【０００２】
【従来の技術】
パーソナルコンピュータを、公衆回線網を介して、インターネットなどのネットワークに接続する場合、ユーザは、いわゆるダイヤルアップ接続によって、インターネットサービスプロバイダにアクセスする。パーソナルコンピュータは、インターネットサービスプロバイダを介して、インターネット上に公開されているウェブページを閲覧したり、電子メールの送受信を行うことができる。
【０００３】
パーソナルコンピュータと公衆回線網との接続においては、従来、ケーブルを用いた有線の接続が主流であったが、近年、無線接続の技術として、ブルートゥース（bluetooth）（商標）が注目されている。
【０００４】
ブルートゥースとは、2.4GHz帯域を用いる無線伝送方式である。ブルートゥース技術は、情報のやりとりを行うために短距離無線通信を利用し、携帯型電話機やパーソナルコンピュータ、PDA（Personal Digital Assistants）、および周辺機器を、無線で簡単に接続することを目的としている。この無線通信は世界中で利用可能な2.45 GHzのISM（Industry Science Medical:免許なしで使える帯域）を利用するため、ブルートゥース技術に対応した機器であれば、世界中で使用することが可能である。例えば、パーソナルコンピュータの周辺機器に本技術を用いることにより、マウス、キーボード、モデム、プリンタなどの全てをワイヤレス化することが可能となる。また、携帯型電話機やモデムなどの、公衆回線網に接続するための機器とパーソナルコンピュータとの接続に、ブルートゥース技術を用いることにより、従来必要であったケーブルが不要になる。
【０００５】
図１に示されるように、パーソナルコンピュータ１は、ブルートゥースによる近距離無線通信により、ブルートゥースアダプタ２に接続し、そこから公衆回線網３およびインターネットサービスプロバイダ（ISP）４を介して、インターネット５に接続し、例えば、電子メールを授受したり、所定のウェブサーバ（図示せず）にアクセスし、ウェブページを閲覧することが可能となる。パーソナルコンピュータ１とブルートゥースアダプタ２とのブルートゥースによる接続は、常時接続状態である。
【０００６】
【発明が解決しようとする課題】
近年、パーソナルコンピュータ１以外に、例えば、PDA（Personal Digital Assistants）、携帯型電話機など、ユーザが持ち歩くことが可能な、いわゆるモバイル機器の利用が盛んである。これらのモバイル機器をはじめとする持ち運び可能で、かつネットワークに接続可能な機器は、バッテリにより動作されるため、常時ブルートゥース接続状態である場合、消費電力量が高くなってしまい、バッテリの消耗が激しくなってしまう。
【０００７】
本発明はこのような状況に鑑みてなされたものであり、例えば、ブルートゥース接続などに代表される近距離無線通信を介してダイヤルアップ接続が行われるような場合、接続が必要なときのみブルートゥース接続を行い、同時にダイヤルアップ接続を行うようにすることにより、ユーザが、接続のために煩雑な操作を行うことなしに、消費電力を抑えることができるようにするものである。
【０００８】
【課題を解決するための手段】
本発明の情報処理装置は、ユーザの操作入力を受ける入力手段と、ブルートゥースによる所定のブルートゥース機器への第１の接続を実行する接続手段と、第１の接続により接続された所定のブルートゥース機器を介したネットワークへの第２の接続を制御する制御手段とを備え、情報処理装置のカスタマ登録をユーザが情報処理装置から行ったときにサーバに登録された個人情報を用いて利用可能になった第２の接続を行うための接続先が情報処理装置内に複数登録されている場合において、入力手段によりユーザからネットワークへの接続を指令する操作入力を受け、複数の接続先の中から所定の接続先が選択された後、接続手段はブルートゥースによる第１の接続を実行し、制御手段は、第１の接続により接続された所定のブルートゥース機器を介したネットワークへの第２の接続を制御し、入力手段によりユーザからネットワークへの接続の切断を指令する操作入力を受けたとき、制御手段は、所定のブルートゥース機器とネットワークとの第２の接続を切断し、接続手段は、第２の接続の切断に同期して第１の接続を切断することを特徴とする。
【０００９】
ネットワークはインターネットであるものとすることができ、第２の接続は、ダイヤルアップ接続であるものとすることができ、制御手段には、所定のブルートゥース機器と、ダイヤルアップ接続により公衆回線網を介したインターネットとの接続を制御させるようにすることができる。
【００１０】
電子メールの送受信を実行する電子メール送受信手段を更に備えさせるようにすることができ、電子メール送受信手段には、第１の接続手段により接続された第１の接続、および制御により接続が制御された第２の接続を介して、電子メールを送受信させるようにすることができる。
【００１１】
ウェブページを閲覧する閲覧手段を更に備えさせるようにすることができ、閲覧手段には、第１の接続手段により接続された第１の接続、および制御手段により接続が制御された第２の接続を介して、ウェブページが保存されている所定のサーバにアクセスさせるようにすることができる。
【００１２】
画像を撮像する撮像手段と、撮像手段により撮像された画像に所定の画像処理を実行する画像処理手段とを更に備えさせるようにすることができる。
【００１３】
画像処理手段により画像処理された画像を所定のサーバに出力する出力手段を更に備えさせるようにすることができ、出力手段には、第１の接続手段により接続された第１の接続、および制御手段により接続が制御された第２の接続を介して、所定のサーバに画像を出力させるようにすることができる。
【００１４】
本発明の情報処理方法は、ユーザから、第１の接続により接続された所定のブルートゥース機器を介したネットワークへの第２の接続を指令する操作入力を受ける第１の入力ステップと、情報処理装置のカスタマ登録をユーザが情報処理装置から行ったときにサーバに登録された個人情報を用いて利用可能になった第２の接続を行うための接続先が情報処理装置内に複数登録されている場合において、第１の入力ステップの処理によりユーザの操作入力が受けられ、複数の接続先の中から所定の接続先が選択された後、ブルートゥースによる所定のブルートゥース機器への第１の接続を実行する第１の接続ステップと、第１の接続ステップの処理による第１の接続の実行に同期して、第１の接続により接続された所定のブルートゥース機器を介したネットワークへの第２の接続を実行する第２の接続ステップと、ユーザから、ネットワークへの接続の切断を指令する操作入力を受ける第２の入力ステップと、第２の入力ステップの処理により入力されたユーザの操作に従って、第２の接続ステップの処理による第２の接続を切断する第１の切断ステップと、第１の切断ステップの処理による第２の接続の切断に同期して、第１の接続ステップの処理による第１の接続を切断する第２の切断ステップとを含むことを特徴とする。
【００１５】
本発明の記録媒体に記録されているプログラムは、ユーザから、第１の接続により接続された所定のブルートゥース機器を介したネットワークへの第２の接続を指令する操作入力を受ける第１の入力ステップと、情報処理装置のカスタマ登録をユーザが情報処理装置から行ったときにサーバに登録された個人情報を用いて利用可能になった第２の接続を行うための接続先が情報処理装置内に複数登録されている場合において、第１の入力ステップの処理によりユーザの操作入力が受けられ、複数の接続先の中から所定の接続先が選択された後、ブルートゥースによる所定のブルートゥース機器への第１の接続を実行する第１の接続ステップと、第１の接続ステップの処理による第１の接続の実行に同期して、第１の接続により接続された所定のブルートゥース機器を介したネットワークへの第２の接続を実行する第２の接続ステップと、ユーザから、ネットワークへの接続の切断を指令する操作入力を受ける第２の入力ステップと、第２の入力ステップの処理により入力されたユーザの操作に従って、第２の接続ステップの処理による第２の接続を切断する第１の切断ステップと、第１の切断ステップの処理による第２の接続の切断に同期して、第１の接続ステップの処理による第１の接続を切断する第２の切断ステップとを含むことを特徴とする。
【００１６】
本発明のプログラムは、ユーザから、第１の接続により接続された所定のブルートゥース機器を介したネットワークへの第２の接続を指令する操作入力を受ける第１の入力ステップと、情報処理装置のカスタマ登録をユーザが情報処理装置から行ったときにサーバに登録された個人情報を用いて利用可能になった第２の接続を行うための接続先が情報処理装置内に複数登録されている場合において、第１の入力ステップの処理によりユーザの操作入力が受けられ、複数の接続先の中から所定の接続先が選択された後、ブルートゥースによる所定のブルートゥース機器への第１の接続を実行する第１の接続ステップと、第１の接続ステップの処理による第１の接続の実行に同期して、第１の接続により接続された所定のブルートゥース機器を介したネットワークへの第２の接続を実行する第２の接続ステップと、ユーザから、ネットワークへの接続の切断を指令する操作入力を受ける第２の入力ステップと、第２の入力ステップの処理により入力されたユーザの操作に従って、第２の接続ステップの処理による第２の接続を切断する第１の切断ステップと、第１の切断ステップの処理による第２の接続の切断に同期して、第１の接続ステップの処理による第１の接続を切断する第２の切断ステップとを含むことを特徴とする。
【００１７】
本発明の情報処理装置および情報処理方法、並びにプログラムにおいては、情報処理装置のカスタマ登録をユーザが情報処理装置から行ったときにサーバに登録された個人情報を用いて利用可能になった第２の接続を行うための接続先が情報処理装置内に複数登録されている場合において、ユーザの操作入力が受けられ、複数の接続先の中から所定の接続先が選択された後、ブルートゥースによる第１の接続が実行され、第１の接続の実行に同期して、第１の接続により接続された所定のブルートゥース機器を介したネットワークへの第２の接続が実行され、入力されたユーザの操作に従って、第２の接続が切断されたとき、第２の接続の切断に同期して、第１の接続が切断される。
【００１８】
【発明の実施の形態】
図２は、本発明を適用したサービス提供システムの構成例を表している。このサービス提供システムにおいては、インターネット１０に対して、ネットワークシステム１４、ネットワークサービスビジネスセンタ１５、イメージステーションサーバ１６、インターネットサービスプロバイダＡ（ＩＳＰ−Ａ）１７、インターネットサービスプロバイダＢ（ＩＳＰ−Ｂ）１８、情報提供サーバ１９、並びに検索サーバ２０が接続されている。
【００１９】
また、これらのネットワークシステム１４、インターネットサービスプロバイダＡ１７、並びにインターネットサービスプロバイダＢ１８は、公衆回線網１３に接続されており、この公衆回線網１３には、ブルートゥースアダプタ１２もさらに接続されている。カムコーダ１１は、ブルートゥース（商標）による近距離無線通信により、ブルートゥースアダプタ１２に接続し、そこから公衆回線網１３を介して、ネットワークシステム１４、インターネットサービスプロバイダＡ１７、あるいはインターネットサービスプロバイダＢ１８に接続することが可能とされている。
【００２０】
ネットワークシステム１４は、アクセスポイント（AP）３１、カスタマデータベース（C-DB）３２、カスタマ登録ウェブサーバ３３、並びに登録認証プラットフォーム（Registration Authentication Platform（RAP））３４により構成されている。
【００２１】
アクセスポイント３１は、公衆回線網１３に接続される。カスタマデータベース３２は、カムコーダ１１を購入したユーザの各種の情報を登録する。カスタマ登録ウェブサーバ３３は、カムコーダ１１の登録処理を制御する。登録認証プラットフォーム３４は、ネットワークシステム１４におけるユーザの認証処理を実行する。
【００２２】
アクセスポイント３１、カスタマデータベース３２、カスタマ登録ウェブサーバ３３、並びに登録認証プラットフォーム３４は、図２の例では、個別に形成されているが、一体的に構成することもできる。
【００２３】
ネットワークサービスビジネスセンタ１５は、カムコーダ用イメージステーション４１を有し、このカムコーダ用イメージステーション４１は、カムコーダ１１から送信されてきた画像データを登録、管理する。
【００２４】
イメージステーションサーバ１６は、図示せぬパーソナルコンピュータから送信されてきた画像データを登録、管理する。
【００２５】
インターネットサービスプロバイダＡ１７は、アクセスポイント５１、カスタマデータベース５２、メールサーバ５３を有している。メールサーバ５３は、さらにPOPサーバ５４とSMTP（Simple Mail Transfer Protocol）サーバ５５を有している。
【００２６】
インターネットサービスプロバイダＡ１７は、特定のインターネットサービスプロバイダであり、図２に示されるサービス提供システムの提供者と同一、または、提携している企業等により提供されるインターネット接続サービスである。
【００２７】
アクセスポイント５１は、公衆回線網１３との通信処理を行う。カスタマデータベース５２は、インターネットサービスプロバイダＡ１７のユーザの各種の情報を登録する。POPサーバ５４は、カムコーダ１１との間でのメールの送受信の処理を主に管理する。SMTPサーバ５５は、他のSMTPサーバ（この例の場合、インターネットサービスプロバイダＢ１８のSMTPサーバ６５）との間でのメールの送受信を主に管理する。
【００２８】
インターネットサービスプロバイダＢ１８は、アクセスポイント６１、カスタマデータベース６２を有するとともに、POPサーバ６４とSMTPサーバ６５からなるメールサーバ６３を有している。この基本的な構成は、インターネットサービスプロバイダＡ１７における場合と同様である。
【００２９】
情報提供サーバ１９は、例えば、所定の企業の商品に関する各種の情報を提供する。検索サーバ２０は、インターネット１０を介して公開されている各種の情報を検索するサービスを提供する。
【００３０】
図３は、カムコーダ１１の構成例を表している。このカムコーダ１１は、カメラ一体型ビデオテープレコーダであり、インターネット１０に対するアクセス機能を有している。図３において、CPU（Central Processing Unit）７１は、ROM（Read Only Memory）７２に記憶されているプログラム、またはRAM（Random Access Memory）７３にロードされたプログラムに従って各種の処理を実行する。RAM７３にはまた、CPU７１が各種の処理を実行する上において必要なデータなども適宜記憶される。EEPROM（Electrically Erasable Programmable Read Only Memory）７４には、電源オフ後も記憶する必要があるデータが記憶される。
【００３１】
CPU７１、ROM７２、RAM７３、および、EEPROM７４は、バス７５を介して相互に接続されている。このバス７５にはまた、入出力インタフェース７６も接続されている。
【００３２】
入出力インタフェース７６にはまた、各種のボタン、スイッチなどよりなる入力部７７、LCD（Liquid Crystal Display）７８、スピーカ７９、CCD（Charge Coupled Device）撮像素子などより構成される撮像部８０、音声信号を取り込むマイクロホン８１、並びに、ブルートゥースによりブルートゥースアダプタ１２との間で近距離無線通信を行う通信部８２が接続されている。
【００３３】
記録再生部８３は、装着されたカセット磁気テープに、撮像部８０で撮像された映像データと、マイクロホン８１により収音された音声データ等を記録する。また、記録再生部８３は、カセット磁気テープに記録されている映像データと音声データを再生し、映像データに対応する画像をLCD７８に出力し、表示させ、音声データをスピーカ７９に供給し、出力させる。
【００３４】
メモリカードインターフェース８４は、携帯可能な半導体メモリとしてのメモリカード８５が装着されたとき、メモリカード８５に対するデータの書き込み処理と読み出し処理を実行する。メモリカード８５には、撮像部８０で撮像された映像データ並びにマイクロホン８１より収音された音声データが記録できる他、通信部８２からインターネット１０を介して取得した各種のデータなども記憶することができる。
【００３５】
エンコーダ／デコーダ８６は、映像データをMPEG（Moving picture Experts Group）またはJPEG（Joint Photographic Coding Experts Group）の方式で、エンコードまたはデコードする。
【００３６】
入出力インタフェース７６にはまた、必要に応じてドライブ８７が接続され、磁気ディスク９１、光ディスク９２、光磁気ディスク９３、或いは半導体メモリ９４などが適宜装着され、それらから読み出されたコンピュータプログラムが、必要に応じてRAM７３にインストールされる。
【００３７】
図４は、カスタマ登録ウェブサーバ３３の構成例を表している。図４において、CPU１１１は、ROM１１２に記憶されているプログラム、または記憶部１１８からRAM１１３にロードされたプログラムに従って各種の処理を実行する。RAM１１３にはまた、CPU１１１が各種の処理を実行する上において必要なデータなども適宜記憶される。
【００３８】
CPU１１１、ROM１１２、およびRAM１１３は、バス１１４を介して相互に接続されている。このバス１１４にはまた、入出力インタフェース１１５も接続されている。
【００３９】
入出力インタフェース１１５には、キーボード、マウスなどよりなる入力部１１６、CRT、LCDなどよりなるディスプレイ、並びにスピーカなどよりなる出力部１１７、ハードディスクなどより構成される記憶部１１８、モデム、ターミナルアダプタなどより構成される通信部１１９が接続されている。通信部１１９は、インターネット１０を含むネットワークを介しての通信処理を行う。
【００４０】
入出力インタフェース１１５にはまた、必要に応じてドライブ１２０が接続され、磁気ディスク１３１、光ディスク１３２、光磁気ディスク１３３、或いは半導体メモリ１３４などが適宜装着され、それらから読み出されたコンピュータプログラムが、必要に応じて記憶部１１８にインストールされる。
【００４１】
アクセスポイント３１、カスタマデータベース３２、および登録認証プラットフォーム３４は、カスタマ登録ウェブサーバ３３と個別に形成される場合、図示は省略するが、カスタマ登録ウェブサーバ３３と基本的に同様の構成とされる。
【００４２】
図５は、ネットワークサービスビジネスセンタ１５を構成するカムコーダ用イメージステーション４１の構成例を表している。このカムコーダ用イメージステーション４１を構成するCPU１５１乃至半導体メモリ１７４は、図４のカスタマ登録ウェブサーバ３３を構成するCPU１１１乃至半導体メモリ１３４と基本的に同様の構成とされ、対応する名称のものは、対応する機能を有する。従って、それらの説明は、繰り返しになるので省略する。
【００４３】
さらに、図６は、インターネットサービスプロバイダＡ１７のカスタマデータベース５２の構成例を表している。このカスタマデータベース５２のCPU１９１乃至半導体メモリ２１４も、図４のカスタマ登録ウェブサーバ３３のCPU１１１乃至半導体メモリ１３４と基本的に同様の構成とされ、対応する名称のものは、対応する機能を有するので、その説明は、繰り返しになるので省略する。
【００４４】
アクセスポイント５１並びにメールサーバ５３（POPサーバ５４とSMTPサーバ５５）が、カスタマデータベース５２と個別に形成される場合、これらも基本的に図６のカスタマデータベース５２と同様の構成とされる。
【００４５】
カムコーダ１１を購入したユーザは、この図２のサービス提供システムにおけるサービスの提供を受けることができる。そのためには、カムコーダ１１のユーザは、カムコーダ１１（そのユーザ）をネットワークシステム１４に登録する処理を実行する。カムコーダ１１を購入すると、ブルートゥースアダプタ１２が付属しており（付属していない場合は、別途購入し）、ユーザは、このブルートゥースアダプタ１２を公衆回線網１３に接続することで、ネットワークシステム１４にカムコーダ１１（そのユーザ）を登録することができる。
【００４６】
この登録処理が行われるとき、このサービス提供システムにおいて、図７のフローチャートに示される処理が実行される。すなわち、ステップＳ１において、ネットワークシステム１４によりデジタルイメージカスタマ登録処理が実行され、その後、ステップＳ２において、インターネットサービスプロバイダＡ１７により、ＩＳＰ−Ａかんたん登録処理が実行され、さらに、その後、ステップＳ３において、ネットワークサービスビジネスセンタ１５により、アルバム利用登録処理が実行される。
【００４７】
そこで、以下、これらステップＳ１乃至ステップＳ３の処理を個別に説明する。
【００４８】
最初に、図８と図９のフローチャートを参照して、ネットワークシステム１４におけるデジタルイメージカスタマ登録処理について説明する。図８は、この登録処理を行う場合におけるカムコーダ１１の処理を表し、図９は、それに対応するカスタマ登録ウェブサーバ３３の処理を表している。
【００４９】
ステップＳ１１において、カムコーダ１１のユーザは、入力部７７を操作して、ネットワークシステム１４にアクセスを指令する。このアクセス先は、ROM７２に予め記憶されている。CPU７１は、このROM７２に記憶されている情報に基づいて、通信部８２を制御し、ネットワークシステム１４のアクセスポイント３１へのアクセスを指令する。通信部８１は、この指令を受けると、ブルートゥースアダプタ１２と近距離無線通信し、そこから公衆回線網１３を介してネットワークシステム１４のアクセスポイント３１にアクセスする。
【００５０】
この一番最初のネットワークシステム１４へのアクセスには、ゲストIDが利用される。すなわち、ユーザが、例えば、「GUEST」をIDとして入力すると、登録認証プラットフォーム３４は、アクセスを許容する。登録認証プラットフォーム３４は、カムコーダ１１からのアクセスを許容したとき、以後、カスタマ登録ウェブサーバ３３に、カムコーダ１１に対する処理の管理権を引き渡す。
【００５１】
カスタマ登録ウェブサーバ３３のCPU１１１は、このとき、図９のステップＳ３１において、カムコーダ１１のユーザに対して個人情報の入力を要求する。この要求は、通信部１１９から出力され、アクセスポイント３１、公衆回線網１３、およびブルートゥースアダプタ１２を介して、カムコーダ１１に送信される。
【００５２】
カムコーダ１１のCPU７１は、通信部８２を介してこの要求を受け取ると、ステップＳ１２において、その要求に対応するメッセージを、LCD７８に出力し、表示させる。
【００５３】
カムコーダ１１のユーザは、このメッセージに基づいて、入力部７７を操作して、個人情報を入力する。この個人情報には、カムコーダ１１の１６桁の数字とアルファベットからなる登録コード（カムコーダ１１を購入したとき、添付されている葉書に記載されている）、ユーザの郵便番号、氏名、住所、生年月日、性別、電話番号、電子メールアドレスなどの他、カムコーダ１１の製造番号（シリアル番号）、購入年月日などが含まれる。
【００５４】
カムコーダ１１のCPU７１は、ステップＳ１２において、これらの個人情報を入力すると、これをネットワークシステム１４に送信させる。
【００５５】
すなわち、CPU７１は、通信部８２を制御し、入力された個人情報をネットワークシステム１４に送信させる。この個人情報は、ブルートゥースアダプタ１２、公衆回線網１３、アクセスポイント３１を介して、カスタマ登録ウェブサーバ３３に供給される。
【００５６】
カスタマ登録ウェブサーバ３３のCPU１１１は、図９のステップＳ３１において、この個人情報を通信部１１９を介して取得すると、これをＲＡＭ１１３に供給し、一時的に記憶させる。
【００５７】
CPU１１１は、RAM１１３に個人情報が登録されると、ステップＳ３２において、個人情報確認画面を生成し、通信部１１９からカムコーダ１１に送信させる。この個人情報確認画面のデータは、アクセスポイント３１から公衆回線網１３を介して、ブルートゥースアダプタ１２に供給され、ブルートゥースアダプタ１２からカムコーダ１１に送信される。
【００５８】
カムコーダ１１のCPU７１は、図８のステップＳ１３において、通信部８２を介して、この個人情報確認画面のデータを受信すると、RAM７３に一旦これを記憶させた後、これを再び読み出して、LCD７８に出力し、表示させる。これにより、LCD７８には、カムコーダ１１のユーザが入力した個人情報が確認のために表示される。
【００５９】
ユーザが、自らが入力した個人情報を確認したことを入力部７７を操作することで入力すると、CPU７１は、この確認信号を通信部８２からカスタマ登録ウェブサーバ３３に送信させる。
【００６０】
カスタマ登録ウェブサーバ３３のCPU１１１は、通信部１１９を介してこの確認信号を受け取ると、図９のステップＳ３２において、RAM１１３に登録されていた個人情報を記憶部１１８に転送し、記憶させる。
【００６１】
そして、ステップＳ３３において、CPU１１１は、カムコーダ１１のユーザに対する仮IDと仮パスワードを発行する。この仮IDと仮パスワードは、通信部１１９から出力され、アクセスポイント３１、公衆回線網１３、ブルートゥースアダプタ１２を介してカムコーダ１１に送信される。
【００６２】
カムコーダ１１のCPU７１は、図８のステップＳ１４において、通信部８２を介してこの仮IDと仮パスワードを受信すると、これをLCD７８に供給し、表示させるか、または、EEPROM７４に供給し、記憶させる。
【００６３】
カスタマ登録ウェブサーバ３３は、以上のようにして、記憶部１１８に登録されたカムコーダ１１のユーザの個人情報を、ステップＳ３３において、カスタマデータベース３２に供給し、登録させる。
【００６４】
ステップＳ３４において、カスタマデータベース３２は、インターネット１０を介して、ネットワークサービスビジネスセンタ１５のカムコーダ用イメージステーション４１に、この個人情報を供給する。
【００６５】
カムコーダ用イメージステーション４１のCPU１５１は、通信部１５９を介してネットワークシステム１４から送信されてきた個人情報を受信すると、これを記憶部１５８に供給し、記憶させる（後述する図１６のステップＳ１２１）。
【００６６】
ステップＳ３５において、カスタマデータベース３２は、カムコーダ１１の個人情報を、さらに、インターネットサービスプロバイダＡ１７のカスタマデータベース５２に送信する。
【００６７】
インターネットサービスプロバイダＡ１７のカスタマデータベース５２は、インターネット１０を介して、ネットワークシステム１４から送信されてきたカムコーダ１１の個人情報を登録する（後述する図１１のステップＳ７１）。
【００６８】
なお、ステップＳ３６において、以後、ネットワークシステム１４のカスタマデータベース３２は、ネットワークビジネスセンタ１５において、カムコーダ１１のユーザの個人情報が変更されたとき、カムコーダ用イメージステーション４１からインターネット１０を介してこれを受信し、自分自身に登録させる。また、カスタマデータベース３２は、その更新された個人情報を、インターネット１０からインターネットサービスプロバイダＡ１７のカスタマデータベース５２に供給し、登録させる。
【００６９】
逆に、インターネットサービスプロバイダＡ１７において、カムコーダ１１のユーザが個人情報を変更したとき、カスタマデータベース５２にそれが登録されるので、カスタマデータベース５２は、それをインターネット１０を介して、ネットワークシステム１４のカスタマデータベース３２に通知する。カスタマデータベース３２は、入力された個人情報を古い個人情報に上書きし、個人情報を更新させる。
【００７０】
このとき、カスタマデータベース３２は、インターネット１０を介して、ネットワークサービスビジネスセンタ１５のカムコーダ用イメージステーション４１に、この更新された個人情報をさらに送信する。
【００７１】
カムコーダ用イメージステーション４１は、入力された個人情報で古い個人情報を更新する。
【００７２】
以上のようにして、ネットワークシステム１４、ネットワークサービスビジネスセンタ１５、およびインターネットサービスプロバイダＡ１７における個人情報は、その１つにおいて更新されると、それが直ちにリアルタイムで他の２つに反映される。
【００７３】
以上のようにして、ネットワークシステム１４のカスタマデータベース３２にカムコーダ１１のユーザが登録されると、以後、ネットワークシステム１４は、カムコーダ１１に関する各種の情報を、必要に応じて、カムコーダ１１のユーザに、インターネット１０を介して、あるいは葉書などにより通知する。
【００７４】
デジタルイメージカスタマ登録処理が以上のようにして完了すると、次に、ＩＳＰ−Ａかんたん登録処理が実行される。すなわち、カスタマ登録ウェブサーバ３３は、カスタマ登録処理が完了すると、以後のカムコーダ１１に対する処理の管理権をインターネットサービスプロバイダＡ１７のカスタマデータベース５２に移管する。
【００７５】
従って、以後、カムコーダ１１とインターネットサービスプロバイダＡ１７のカスタマデータベース５２との間において、ＩＳＰ−Ａかんたん登録処理が実行される。図１０は、この場合におけるカムコーダ１１の処理を表し、図１１は、これに対応するカスタマデータベース５２の処理を表している。
【００７６】
インターネットサービスプロバイダＡ１７のカスタマデータベース５２のCPU１９１は、図１１のステップＳ７１において、図９のステップＳ３５においてネットワークシステム１４のカスタマデータベース３２から送信された個人情報を受信すると、これを記憶部１９８に供給し、記憶させる。
【００７７】
インターネットサービスプロバイダＡ１７のカスタマデータベース５２は、ステップＳ７１において、カムコーダ１１の個人情報を受信すると、そのユーザが既にインターネットサービスプロバイダＡ１７の会員であるか否かを入力することを、そして会員である場合には、インターネットサービスプロバイダＡ１７のユーザIDを入力することを、カムコーダ１１に要求する。
【００７８】
カムコーダ１１のCPU７１は、図１０のステップＳ５１において、この要求を受けたとき、対応するメッセージをLCD７８に出力し、表示させる。ユーザは、この表示を見て、自分自身が既にインターネットサービスプロバイダＡ１７の会員である場合には、そのユーザIDを入力部７７を操作することで入力する。また会員でない場合には、その旨が入力される。カムコーダ１１のCPU７１は、そこでステップＳ５２において、インターネットサービスプロバイダＡ１７のユーザIDが入力されたか否かを判定し、インターネットサービスプロバイダＡ１７の会員でないことが入力された場合には、ステップＳ５３において、その旨を通信部８２を介して、インターネットサービスプロバイダＡ１７のカスタマデータベース５２に送信させる。
【００７９】
カスタマデータベース５２のCPU１９１は、通信部１９９を介してこの入力を受け取ると、図１１のステップＳ７２において、ユーザは、インターネットサービスプロバイダＡ１７の会員でないと判定し、ステップＳ７３に進み、インターネットサービスプロバイダＡ１７への入会のための個人情報を送信する。この個人情報は、図９のステップＳ３５の処理で、ネットワークシステム１４から送信されてきて、ステップＳ７１において、受信、記憶された情報が、基本的にそのまま用いられる。
【００８０】
カムコーダ１１のCPU７１は、図１０のステップＳ５４において、通信部８２を介して、インターネットサービスプロバイダＡ１７への入会のための個人情報を受信すると、それをLCD７８に出力し、表示させる。
【００８１】
この個人情報は、カムコーダ１１のユーザが、ネットワークシステム１４にユーザ登録した場合に、入力した個人情報であるから、基本的には誤りがないはずである。しかしながら、念のため、ユーザは、この表示を見て、訂正する必要があるか否かを判定し、訂正する必要がある場合には、入力部７７を操作して、訂正を入力する。
【００８２】
そこで、ステップＳ５５において、カムコーダ１１のCPU７１は、訂正が入力されたか否かを判定し、訂正が入力された場合には、ステップＳ５６において、訂正された項目を、通信部８２からインターネットサービスプロバイダＡ１７のカスタマデータベース５２に送信させる。訂正が入力されない場合には、ステップＳ５６の処理はスキップされる。
【００８３】
インターネットサービスプロバイダＡ１７のカスタマデータベース５２のCPU１９１は、図１１のステップＳ７４で、通信部１９９を介して訂正を受信したか否かを判定し、訂正を受信した場合には、ステップＳ７５において、受信した訂正内容に基づいて、既に登録されている個人情報を訂正する。訂正が受信されない場合には、ステップＳ７５の処理は、スキップされる。
【００８４】
この個人情報としては、上述したように、カムコーダ１１を購入したユーザがネットワークシステム１４にユーザ登録した個人情報が基本的にそのまま表示される（そのうちの、インターネットサービスプロバイダＡ１７の会員になるのに必要な情報のみが表示される）。従って、ユーザは、ネットワークシステム１４にユーザ登録するために入力した項目と基本的に同様の項目をインターネットサービスプロバイダＡ１７の会員になるために、再度入力する必要がなくなる。従って、操作性が改善される。
【００８５】
次に、ステップＳ５７において、カムコーダ１１のCPU７１は、カスタマデータベース５２からの入力ガイダンスに従って、ユーザ名とパスワードの入力を促すメッセージをLCD７８に表示させる。カムコーダ１１のユーザは、このメッセージに従って、入力部７７を操作し、インターネットサービスプロバイダＡ１７を利用する場合にユーザが用いるユーザ名とパスワードを入力する。CPU７１は、この入力されたユーザ名とパスワードを、通信部８２を介して、インターネットサービスプロバイダＡ１７のカスタマデータベース５２に送信する。
【００８６】
カスタマデータベース５２のCPU１９１は、ステップＳ７６において、通信部１９９を介してこのユーザ名とパスワードを受信すると、記憶部１９８に記憶されているデータに基づいて、そのユーザ名とパスワードが既に他のユーザにより使用されているか否かを判定し、使用されている場合には、そのメッセージを通信部１９９からカムコーダ１１に送信する。
【００８７】
カムコーダ１１のCPU７１は、通信部８２を介してこのメッセージを受信すると、LCD７８に表示させる。カムコーダ１１のユーザは、この表示を見て、入力したユーザ名とパスワードが既に登録されていると判定した場合、新たなユーザ名とパスワードを入力する。
【００８８】
以上のようにして、カムコーダ１１からユーザ名とパスワードが送信されてくると、カスタマデータベース５２のCPU１９１は、図１１のステップＳ７６において、通信部１９９を介してこれを取得し、ステップＳ７７において、ユーザ名に基づいて、ユーザIDを決定する。このユーザIDは、インターネットサービスプロバイダＡ１７の会員としてのユーザIDである。
【００８９】
このサービス提供システムにおいては、ネットワークシステム１４、ネットワークサービスビジネスセンタ１５、およびインターネットサービスプロバイダＡ１７において、共通のIDとパスワードを使用することができるようになされている。しかしながら、上述したように、ネットワークシステム１４において、ユーザ登録なされた段階において、カムコーダ１１のユーザには、仮IDと仮パスワードが既に設定されている（図８のステップＳ１４、図９のステップＳ３３）。
【００９０】
この仮IDと仮パスワードに基づいて、インターネットサービスプロバイダＡ１７において、ユーザがサービスを受けることができるようにするために、CPU１９１は、図９のステップＳ３３において、ネットワークシステム１４により発行され、ステップＳ７１の処理で受信された仮IDと仮パスワードを、ステップＳ７７で決定したユーザIDと対応させるための対応関係を記述したテーブルをステップＳ７８で生成し、ＩＳＰ−Ａかんたん接続に登録する。
【００９１】
これにより、図９のステップＳ３３において、ネットワークシステム１４から発行され、図８のステップＳ１４において、カムコーダ１１により受信された仮IDと仮パスワードに基づいて、カムコーダ１１のユーザがインターネットサービスプロバイダＡ１７にアクセスしてきたとき、カスタマデータベース５２は、その仮IDと仮パスワードに対応するユーザIDをテーブルから検索することで、カムコーダ１１のユーザに、インターネットサービスプロバイダＡ１７が提供するサービスを利用させる。
【００９２】
CPU１９１は、以上のようにして、カムコーダ１１のユーザのインターネットサービスプロバイダＡ１７の会員としての登録が完了したとき、ステップＳ７９において、インターネットサービスプロバイダＡ１７に対してアクセスするときに必要な設定情報をカムコーダ１１に送信する。
【００９３】
カムコーダ１１のCPU７１は、図１０のステップＳ５８において、インターネットサービスプロバイダＡ１７からのＩＳＰ−Ａ設定情報を受信すると、これをLCD７８に出力し、表示させる。これにより、ユーザは、ＩＳＰ−Ａ設定情報を確認することができる。このＩＳＰ−Ａ設定情報には、例えば、図１２に示されるように、PPPログイン、PPPパスワード、アクセスポイント電話番号、POPID、POPパスワード、Ｅメールアドレス、POPサーバ、SMTPメールサーバ、ニュースサーバなどが記述されている。
【００９４】
カムコーダ１１のユーザは、必要に応じて、この図１２に示される内容をメモするなどした後、入力部７７を操作して確認の信号をインターネットサービスプロバイダＡ１７に出力する。
【００９５】
インターネットサービスプロバイダＡ１７のカスタマデータベース５２は、ステップＳ８０において、カムコーダ用設定情報を送信する。
【００９６】
カムコーダ１１は、図１０のステップＳ５９において、このカムコーダ用設定情報を受信すると、LCD７８にこれを表示させる。
【００９７】
図１３は、このようにして、カスタマデータベース５２からカムコーダ１１に送信されるカムコーダ用設定情報の例を表している。この例のおいては、カムコーダ用設定情報がDIカスタマID、DIパスワード、およびアクセスポイント電話番号により構成されている。
【００９８】
アクセスポイント電話番号とは、カムコーダ１１がインターネット１０に接続するとき、アクセスするポイント、具体的には、インターネットサービスプロバイダＡ１７のアクセスポイント５１の電話番号を表している。
【００９９】
カムコーダ１１のユーザは、図１０のステップＳ６０において、このようにして表示されたカムコーダ用設定情報をインターネット１０に接続するための条件として入力部７７を操作して、カムコーダ１１に設定する。この設定は、EEPROM７４に記憶される。
【０１００】
例えば、パーソナルコンピュータを購入したユーザが、一般的なサービスプロバイダ（図２の例の場合、インターネットサービスプロバイダＢ１８）を介して、インターネット１０に接続するためには、図１４Ａに示されるような、PPP接続用ID、PPP接続用パスワード、アクセスポイント電話番号、Primary DNS Server, Secondary DNS Server, Proxy Server, Port Number, POP認証用ID、POP認証用パスワード、POP Server, SMTP Server、およびメールアドレスという１２個の項目を設定する必要があるのに対して、このように、カムコーダ１１を購入したユーザは、ＩＳＰ−Ａかんたん登録処理を行うことで、図１４Ｂに示されるように、Unified ID（図１３におけるDIカスタマIDに対応する）、パスワード（図１３におけるDIパスワードに対応する）、およびアクセスポイント電話番号（図１３におけるアクセスポイント電話番号に対応する）の３個の項目の設定だけで済むことになる。従って、設定操作に不慣れなユーザであっても、簡単に、インターネット接続のための操作を行うことが可能となる。
【０１０１】
カムコーダ１１のユーザは、自分自身が既にインターネットサービスプロバイダＡ１７の会員である場合には、カスタマデータベース５２からの要求に基づいて、入力部７７を操作して、インターネットサービスプロバイダＡ１７のユーザIDを入力する。そこで、この場合、カムコーダ１１のCPU７１は、図１０のステップＳ６１において、ユーザから入力されたインターネットサービスプロバイダＡ１７のユーザIDを取得すると、通信部８２からカスタマデータベース５２に、このインターネットサービスプロバイダＡ１７のユーザIDを送信させる。
【０１０２】
インターネットサービスプロバイダＡ１７のカスタマデータベース５２のCPU１９１は、カムコーダ１１から送信されてきたインターネットサービスプロバイダＡ１７のユーザIDを、図１１のステップＳ８１において、受信し、取得すると、ステップＳ８２において、ユーザのインターネットサービスプロバイダＡ１７のＩＤを、ステップＳ７１の処理で受信されたそのユーザの個人情報に含まれる仮IDと仮パスワードに対応させるためのカムコーダ用設定情報を、カムコーダ１１に送信させる。
【０１０３】
カムコーダ１１のCPU７１は、ステップＳ６２において、カスタマデータベース５２から送信されてきた、インターネットサービスプロバイダＡ１７のＩＤを、仮IDと仮パスワードに対応させるカムコーダ用設定情報を受信すると、ステップＳ６３において、ユーザが入力部７７を操作して行う入力に基づいて、インターネットサービスプロバイダＡ１７のＩＤを、仮IDと仮パスワードに対応するように設定する処理を行う。具体的には、CPU７１は、インターネットサービスプロバイダＡ１７のＩＤと、仮IDおよび仮パスワードとの対応テーブルを生成する。従って、以後、仮パスワードと仮IDが入力されてインターネット１０への接続が指令された場合、CPU７１は、この仮IDと仮パスワードを、インターネットサービスプロバイダＡ１７のＩＤに変換して、インターネットサービスプロバイダＡ１７に対するアクセス処理を行う。
【０１０４】
カスタマデータベース５２のCPU１９１は、図１１のステップＳ８０，Ｓ８２の処理の後、ステップＳ８３に進み、それまでの処理により登録された情報、あるいはユーザによりその登録情報が更新された場合、その更新された情報を、ネットワークシステム１４に送信する。
【０１０５】
ネットワークシステム１４のカスタマデータベース３２は、このインターネットサービスプロバイダＡ１７からの登録情報を受信すると、それをカスタマデータベース３２に登録させるとともに、ネットワークサービスビジネスセンタ１５のカムコーダ用イメージステーション４１にもそれを送信し、反映させる。
【０１０６】
以上のような、ＩＳＰ−Ａかんたん登録処理に引き続いて、アルバム利用登録処理が実行される。このアルバム利用登録処理について、図１５と図１６のフローチャートを参照して、さらに説明する。図１５は、カムコーダ１１のアルバム利用登録処理を表し、図１６は、それに対応するカムコーダ用イメージステーション４１のアルバム利用登録処理を表している。
【０１０７】
インターネットサービスプロバイダＡ１７のカスタマデータベース５２のCPU１９１は、ＩＳＰ−Ａかんたん登録処理が完了すると、カムコーダ１１に対する処理の管理権を、ネットワークサービスビジネスセンタ１５のカムコーダ用イメージステーション４１に移管する。
【０１０８】
カムコーダ用イメージステーション４１のCPU１５１は、図１６のステップＳ１２１において、ネットワークシステム１４のカスタマデータベース３２が図９のステップＳ３４において送信したカムコーダ１１の個人情報を、通信部１５９を介して受信すると、これを記憶部１５８に供給し、記憶させる。CPU１５１は、ステップＳ１２２において、受信した個人情報のうちの氏名とメールアドレスを読み出し、これをカムコーダ１１に送信する。
【０１０９】
カムコーダ１１のCPU７１は、カムコーダ用イメージステーション４１からの氏名とメールアドレスを受信すると、ステップＳ１０１において、これをLCD７８に出力し、表示させる。カムコーダ１１のユーザは、この表示を見て、自分自身の氏名とメールアドレスが正しいか否かを判定する。なお、このメールアドレス（Ｅメールアドレス）は、インターネットサービスプロバイダＡ１７における会員登録において設定されたもの（図１２）である。
【０１１０】
カムコーダ１１のユーザは、氏名とメールアドレスが、正しいことを確認したとき、入力７７を操作し、その氏名とメールアドレスをアルバム利用登録するのに用いることを了承する場合には、その旨を入力する。そこで、ステップＳ１０２において、CPU７１は、了承が入力されたか否かを判定し、入力された場合には、ステップＳ１０３に進み、その入力に対応する了承信号を、カムコーダ用イメージステーション４１に送信させる。
【０１１１】
これに対して、アルバム利用登録を了承しない場合、ユーザは、入力部７７を操作してその旨を入力する。このとき、ステップＳ１０４において、CPU７１は、アルバム利用登録が了承されなかったことを表す非了承信号をカムコーダ用イメージステーション４１に送信させる。
【０１１２】
カムコーダ用イメージステーション４１のCPU１５１は、図１６のステップＳ１２３において、了承信号が入力されたか否かを判定し、入力された場合には、ステップＳ１２４に進み、ステップＳ１２１で受信した個人情報を、記憶部１５８に記憶させる。
【０１１３】
これに対して、ステップＳ１２３において、了承信号が入力されていないと判定された場合、ステップＳ１２４の処理はスキップされる。
【０１１４】
このようにして、カムコーダ用イメージステーション４１には、ネットワークシステム１４で発行された仮IDと仮パスワードに対応する個人情報が登録される。
【０１１５】
その後、ステップＳ１２５において、カムコーダ用イメージステーション４１のCPU１５１は、ユーザからの登録情報を更新する入力がなされた場合には、その旨をネットワークシステム１４に送信する。
【０１１６】
ネットワークシステム１４のカスタマデータベース３２は、この更新情報を自分自身が登録するとともに、それをインターネットサービスプロバイダＡ１７のカスタマデータベース５２に送信し、登録させる。
【０１１７】
なお、ネットワークシステム１４のカスタマデータベース３２は、仮IDと仮パスワードを発行した後、ユーザの住所宛に、本IDと本パスワードを記載した葉書を郵送する。ユーザは、これを受け取ったとき、仮IDと仮パスワードを、本IDと本パスワードに変更して利用する。
【０１１８】
カスタマデータベース３２は、本IDと本パスワードを発行すると、それをネットワークサービスビジネスセンタ１５とインターネットサービスプロバイダＡ１７にインターネット１０を介して送信する。ネットワークサービスビジネスセンタ１５とインターネットサービスプロバイダＡ１７においては、それぞれ本IDと本パスワードが登録される。仮IDと仮パスワードは、発行されてから、所定の期間（例えば、２週間）だけ利用することが可能であり、ネットワークシステム１４、ネットワークサービスビジネスセンタ１５、およびインターネットサービスプロバイダＡ１７は、それぞれ仮IDと仮パスワードを２週間だけ有効とし、有効期間が経過した後、その仮IDと仮パスワードが使用された場合には、アクセスを拒否することになる。
【０１１９】
なお、以上においては、カムコーダ１１からネットワークシステム１４にユーザ登録させるようにしたが、パーソナルコンピュータによりインターネット１０を介して登録したり、葉書で登録することも可能である。
【０１２０】
次に、図１７のフローチャートを参照して、カムコーダ１１がネットワークシステム１４、ネットワークサービスビジネスセンタ１５、またはインターネットサービスプロバイダＡ１７に接続する場合の処理について説明する。ユーザは、入力部７７を操作して、ネットワークシステム１４にユーザ登録したとき割り当てられた仮IDと仮パスワード（または、その後に設定された本IDと本パスワード）を入力する。ステップＳ１４１において、CPU７１は、ユーザの入力部７７の操作に基づいて入力されたIDとパスワードを取得する。さらに、CPU７１は、ステップＳ１４２において、ユーザから指定されたアクセス先がインターネットサービスプロバイダＡ１７であるのか否かを判定する。
【０１２１】
アクセスするのがインターネットサービスプロバイダＡ１７である場合には、ステップＳ１３４に進み、CPU７１は、図１０のステップＳ６３で生成した変換テーブルが存在するか否かを判定する。変換テーブルが存在する場合（カムコーダ１１のユーザが、カムコーダ１１のユーザ登録をする前から、既にインターネットサービスプロバイダＡ１７の会員であり、そのユーザIDを有していた場合）、ステップＳ１４４に進み、CPU７１は、ステップＳ１４１で取得したIDとパスワードを変換テーブルに基づいて、インターネットサービスプロバイダＡ１７のIDに変換する。そして、ステップＳ１４５において、CPU７１は、そのインターネットサービスプロバイダＡ１７のＩＤに基づいて、通信部８２を制御し、インターネットサービスプロバイダＡ１７にアクセスさせる。
【０１２２】
ステップＳ１４３において、変換テーブルが存在しないと判定された場合（ユーザがカムコーダ１１を購入し、ネットワークシステム１４にユーザ登録した後、インターネットサービスプロバイダＡ１７に会員登録した場合）、ステップＳ１４５に進み、CPU７１は、入力されたIDとパスワードを用いて、インターネットサービスプロバイダＡ１７にアクセスする処理を実行する。この場合、上述したように、インターネットサービスプロバイダＡ１７のカスタマデータベース５２が変換テーブルを有しているので、この変換テーブルに基づいて、インターネットサービスプロバイダＡ１７は、カムコーダ１１が正規のユーザであるのか否かを判定する。
【０１２３】
ステップＳ１４２において、アクセスする先がインターネットサービスプロバイダＡ１７ではないと判定された場合、ステップＳ１４６に進み、CPU７１は、アクセス先がネットワークシステム１４であるか否かを判定する。アクセス先がネットワークシステム１４である場合には、ステップＳ１４７に進み、CPU７１は、ステップＳ１４１で取得されたIDとパスワードに基づいて、ネットワークシステム１４にアクセスする。同様に、ステップＳ１４６において、アクセスするのがネットワークシステムではないと判定された場合（アクセス先はネットワークビジネスセンタ１５であると判定された場合）、ステップＳ１４８に進み、CPU７１は、ステップＳ１４１で取得されたIDとパスワードを利用して、ネットワークビジネスセンタ１５にアクセスさせる。
【０１２４】
以上のようにして、このサービス提供システムにおいては、図１８に示されるように、ネットワークシステム１４、ネットワークサービスビジネスセンタ１５、並びにインターネットサービスプロバイダＡ１７におけるIDとパスワードとして、ネットワークシステム１４のユーザ登録時に発行された仮IDと仮パスワード（同一のIDとパスワード）を用いて、それぞれのサービスの提供を受けることができる。
【０１２５】
すなわち、ユーザは、以上説明した処理により、カムコーダ１１を用いて、ネットワークシステム１４、ネットワークサービスビジネスセンタ１５、およびインターネットサービスプロバイダＡ１７に接続し、電子メールの受送信、ウェブページの閲覧、アルバムの利用などの処理を実行することができるようになる。
【０１２６】
カムコーダ１１は、図２を用いて説明したように、ブルートゥース（商標）による近距離無線通信により、ブルートゥースアダプタ１２に接続し、そこから公衆回線網１３を介して、ネットワークシステム１４、インターネットサービスプロバイダＡ１７、あるいはインターネットサービスプロバイダＢ１８に接続するのみならず、図１９に示されるように、ブルートゥースアダプタ１２に代わって、ブルートゥース対応携帯電話機３０１および基地局３０２、もしくはブルートゥースモデム３０３およびモジュラージャック３０４を介して、公衆回線網１３に接続し、ネットワークシステム１４、インターネットサービスプロバイダＡ１７、あるいはインターネットサービスプロバイダＢ１８に接続し、更にインターネット１０に接続することができる。
【０１２７】
ユーザによって、入力部７７の所定のキーなどが操作されることにより、カムコーダ１１のLCD７８には、図２０に示されるネットワークメニュー画面３１１が表示される。ネットワークメニュー画面３１１には、メールの送受信を行うための操作画面に進むためのメールボタン３２１、撮像された画像データをネットワークサービスセンタ１５のカムコーダ用イメージステーション４１にアップロードしたり、あるいは、アップロードされた画像データを編集したり閲覧するための操作画面に進むためのアルバムボタン３２２、ウェブページを閲覧する（ブラウジングする）ための操作画面に進むためのブラウザボタン３２３、各種設定を行うための操作画面に進むための設定ボタン３２４、およびネットワークメニューを終了する場合に選択される終了ボタン３２５が設けられている。
【０１２８】
ユーザが設定ボタン３２４を選択した場合、LCD７８には、図２１に示される設定メニュー画面３３１が表示される。設定メニュー画面３３１には、上述したカスタマ登録を実行するための操作画面に進むためのカスタマ登録ボタン３４１、かんたん設定を実行するための操作画面に進むための簡単設定ボタン３４２、ブルートゥースに関する設定を実行するための操作画面に進むためのブルートゥース設定ボタン３４３、その他の手動で実行する各種設定のための操作画面に進むための手動設定ボタン３４４、および設定メニュー画面３３１を閉じて、図２０を用いて説明したネットワークメニュー画面３１１を表示させる場合に選択される終了ボタン３４５が設けられている。
【０１２９】
図２２のフローチャートを参照して、ブルートゥースの接続のための設定処理について説明する。
【０１３０】
ステップＳ２０１において、CPU７１は、入出力インタフェース７６およびバス７５を介して、入力部７７から入力されるユーザの操作入力を示す信号を基に、図２１を用いて説明した、ブルートゥース設定ボタン３４３が選択されたか否かを判断する。ステップＳ２０１において、ブルートゥース設定ボタン３４３が選択されていないと判断された場合、選択されたと判断されるまで、ステップＳ２０１の処理が繰り返される。
【０１３１】
図２１を用いて説明した設定メニュー画面３３１において、ブルートゥース設定ボタン３４３が選択された場合、図２３に示されるブルートゥース設定画面３５１が表示される。ブルートゥース設定画面３５１には、接続機器の設定を実行する場合に選択される接続機器ボタン３６１、接続機器の設定についての情報が表示されるリストボックス３６２、ブルートゥースの設定を終了し、図２１を用いて説明した設定メニュー画面３３１に戻る場合に選択される、戻るボタン３６３、および接続処理を実行し、正しく設定されているか否かを確認する場合に選択される確認ボタン３６４が設けられている。
【０１３２】
接続機器ボタン３６１が選択された場合、図２４に示されるように、リストボックス３６２に複数のリストボックスが表示される。ここでは、ブルートゥース機器がはじめて登録される場合について説明するので、＜戻る＞と表示されたリストボックス３６２−１および＜新規登録＞と表示されたリストボックス３６２−２が表示される。既にブルートゥース機器が登録されている場合、登録されているブルートゥース機器の名称が、リストボックス３６２に表示される。
【０１３３】
ステップＳ２０１において、ブルートゥース設定ボタン３４３が選択されたと判断された場合、図２３のブルートゥース設定画面３５１が表示されるので、ステップＳ２０２において、CPU７１は、接続機器の新規登録を実行するために、接続機器ボタン３６１が選択され、表示されるリストボックス３６２のうち、＜新規登録＞と記載されているリストボックス３６２−２が選択されたか否かを判断する。ステップＳ２０２において、接続機器の新規登録が選択されていないと判断された場合、接続機器の新規登録が選択されたと判断されるまで、ステップＳ２０２の処理が繰り返される。
【０１３４】
ステップＳ２０２において、接続機器の新規登録が選択されたと判断された場合、ステップＳ２０３において、CPU７１は、ブルートゥース機器の自動検出処理を実行し、図２５に示される新規登録画面３７１を表示する。
【０１３５】
検索処理の実行中は、図２５に示される新規登録画面３７１の前面に、検索中ダイアログボックス３８１が表示される。検索中ダイアログボックス３８１には、キャンセルボタン３８２が備えられ、検索処理を途中でキャンセルしたい場合に、ユーザにより操作される。また、新規登録画面３７１には、ブルートゥース設定画面３５１に戻る場合に操作される戻るボタン３８３、再度検索を実行させる場合に選択される再検索ボタン２８４、および、検索結果を表示させるための検索結果表示領域３８５が設けられている。
【０１３６】
検索処理が終了して、ブルートゥース機器が検索された場合、図２６に示されるように、検索中ダイアログボックス３８１の表示が取りやめられ、検索結果表示領域３８５に、検索されたブルートゥース機器の名称およびブルートゥースアドレスが表示される。検索されたブルートゥース機器の名称およびブルートゥースアドレスが、検索結果表示領域３８５に複数表示された場合、ユーザは、入力部７７のうち、例えばカーソルキーなどを押下して、検索結果表示領域３８５に複数表示されている名称およびブルートゥースアドレスのうち、選択されている名称およびブルートゥースアドレス（図中、ハッチングがかかっている部分）を変更することにより、それらの複数のブルートゥース機器のうち、所望の機器を指定して選択することが可能である。
【０１３７】
ステップＳ２０４において、CPU７１は、検索されて、検索結果表示領域３８５に表示されたブルートゥース機器のうち、いずれかの機器が選択されたか否かを判断する。ステップＳ２０４において、いずれの機器も選択されていないと判断された場合、いずれかの機器が選択されるまで、ステップＳ２０４の処理が繰り返される。
【０１３８】
ステップＳ２０４において、検索結果表示領域３８５に表示されたブルートゥース機器のうち、いずれかの機器が選択されたと判断された場合、ステップＳ２０５において、CPU７１は、図２７に示されるPIN（Personal Identification Number）入力画面４０１を表示し、ユーザから、PINの入力を受ける。
【０１３９】
PIN入力画面４０１には、入力されたPINを表示するテキストボックス４１１およびPINを入力するためのボタン４１２が設けられている。ユーザは、入力部７７を用いて、ボタン４１２を操作して、PINを入力し、テキストボックス４１１を参照して、正しいPINが入力されたことが確認された場合、ボタン４１２のうちの終了ボタンを選択する。
【０１４０】
ステップＳ２０６において、CPU７１は、例えば、図２８に示されるように、ブルートゥース設定画面３５１に設定内容を表示させるなどして、設定を確認するための画面に対応するデータを生成し、バス７５および入出力インタフェース７６を介して、LCD７８に出力して表示させ、処理が終了される。
【０１４１】
以上説明した処理により、カムコーダ１１は、設定されたブルートゥース機器を介して、公衆回線網１３に接続することが可能となる。
【０１４２】
例えば、図８を用いて説明したカムコーダ１１のデジタルイメージカスタマ登録処理のステップＳ１１、あるいは、図１７を用いて説明したカムコーダ１１のアクセス処理のステップＳ１４５、ステップＳ１４７、もしくは、ステップＳ１４８においても、ブルートゥースによる接続処理が実行される。
【０１４３】
次に、図２９のフローチャートを参照して、ネットワーク接続処理について説明する。
【０１４４】
ステップＳ２２１において、CPU７１は、入出力インタフェース７６およびバス７５を介して、入力部７７から入力される、ユーザの操作を示す信号を基に、ネットワーク接続要求を受けたか否かを判断する。
【０１４５】
ここで、ネットワーク接続要求とは、例えば、図８を用いて説明したカムコーダ１１のデジタルイメージカスタマ登録処理のステップＳ１１、あるいは、図１７を用いて説明したカムコーダ１１のアクセス処理のステップＳ１４５、ステップＳ１４７、およびステップＳ１４８の処理が実行される場合である。それ以外にも、例えば、図２０を用いて説明したネットワークメニュー画面３１１において、ブラウザボタン３２３が選択されて、図３０に示されるブラウザ画面４３１が表示され、所定の操作がなされた場合に、ネットワークへの接続要求が行われる。これらの処理が実行される場合、必要に応じて、IDとパスワードが入力される。
【０１４６】
図３０に示されるブラウザ画面４３１には、現在、インターネット１０などのネットワークに接続しているか否かの状態を表示する接続状態表示部４４１、接続するウェブページのURL（Uniform Resource Locator）を入力したり、現在接続中のウェブページのURLを表示させるためのテキストボックス４４２、および各種指令を入力する場合にユーザによって選択されるツールバー４４３が設けられている。ツールバー４４３には、ページの切り替え、再読み込みなどを指示するための複数のボタンが含まれており、ツールバー４４３の表示、非表示は、ユーザによって設定可能である。
【０１４７】
例えば、接続状態表示部４４１が、非接続の表示であり、テキストボックス４４２に、URLが入力され、確定された場合、CPU７１は、この操作をネットワークへの接続要求として認識し、テキストボックス４４２に入力されたURLに示されるウェブページへアクセスするための処理を実行する。
【０１４８】
さらに、図２０を用いて説明したネットワークメニュー画面３１１において、アルバムボタン３２２が選択されて、図３１に示されるアルバムメニュー画面４５１が表示され、所定の操作がなされた場合、図２０を用いて説明したネットワークメニュー画面３１１において、メールボタン３２１が選択されて、図３２に示されるメール画面４７１が表示され、所定の操作がなされた場合にも、ネットワークへの接続要求が行われる。
【０１４９】
図３１に示されるアルバムメニュー画面４５１には、アップロードボタン４６１、閲覧／編集ボタン４６２、終了ボタン４６３が設けられている。アップロードボタン４６１は、RAM７３、メモリカード８５、あるいは、ドライブ８７に装着されている磁気ディスク９１、光ディスク９２、光磁気ディスク９３、もしくは半導体メモリ９４などに記録されているデータをネットワークサービスビジネスセンタ１５のカムコーダ用イメージステーション４１にアップロードするための処理を実行する場合に選択される。
【０１５０】
閲覧／編集ボタン４６２は、ネットワークサービスビジネスセンタ１５のカムコーダ用イメージステーション４１に保存されているデータを閲覧したり、編集するための処理を実行する場合に選択される。終了ボタン４６３は、アルバムメニュー画面４５１の表示を取り消して、ネットワークメニュー画面３１１の表示に戻る場合に選択される。
【０１５１】
図３２に示されるメール画面４７１には、送信するメールを作成する場合に選択される送信タブ４８１、メールを受信する場合に選択される受信タブ４８２、アドレス帳を表示させ、編集などを行う場合に表示されるアドレス帳タブ４８３、およびメールの送受信に関する各種設定を行う場合に選択される設定タブ４８４が設けられている。
【０１５２】
送信タブ４８１が選択されている場合のメール画面４７１には、宛先を入力される場合に押下される宛先ボタン４８５、添付ファイルを選択する場合に押下される添付ボタン４８６、作成されたメールを送信する場合に押下される送信ボタン４９１およびメール画面４７１の表示を取り消して、ネットワークメニュー画面３１１の表示に戻る場合に押下される終了ボタン４９２などの各種操作ボタンが設けられている。また、メール画面４７１には、メールの宛先を入力するためのテキストボックス４８７、添付ファイル名を入力するためのテキストボックス４８８、メールの題名を入力するためのテキストボックス４８９、およびメールの本文を入力するためのテキストボックス４９０が設けられている。
【０１５３】
ステップＳ２２１において、以上説明したネットワーク接続要求を受けていないと判断された場合、ネットワーク接続要求を受けたと判断されるまで、ステップＳ２２１の処理が繰り返される。
【０１５４】
ステップＳ２２１において、ネットワーク接続要求を受けたと判断された場合、ステップＳ２２２において、CPU７１は、公衆回線網１３を介して、インターネットサービスプロバイダＡ１７のメールサーバ５３にアクセスするために所定の電話番号に対してダイヤルアップ接続を実行するか否かをユーザに確認させるため、図３４に示されるダイアログボックス５１１に対応するデータをバス７５および入出力インタフェース７６を介してLCD７８に出力し、ダイアログボックス５１１を表示させる。
【０１５５】
ダイアログボックス５１１には、電話番号が表示されるリストボックス５２１、ダイヤルアップ接続をキャンセルする場合に選択されるキャンセルボタン４２２、およびダイヤルアップ接続を実行する場合に選択される接続ボタン４２３が設けられ、ユーザは、例えば、予めリストボックス５２１に表示されている電話番号以外の番号に対してダイヤルアップ接続を行いたい場合は、リストボックス５２１を操作し、予め登録されている他の電話番号に対してダイヤルアップ接続を行わせるようにすることができる。
【０１５６】
ステップＳ２２３において、CPU７１は、ダイアログボックス５１１の接続ボタン４２３が押下されたか否かを判断する。
【０１５７】
ステップＳ２２３において、ダイアログボックス５１１の接続ボタン４２３が押下されなかったと判断された場合、ステップＳ２２４において、CPU７１は、ダイアログボックス５１１のキャンセルボタン４２２が押下されたか否かを判断する。ステップＳ２２４において、キャンセルボタン４２２が押下されなかったと判断された場合、処理は、ステップＳ２２３に戻り、それ以降の処理が繰り返される。
【０１５８】
ステップＳ２２４において、キャンセルボタン４２２が押下されたと判断された場合、ステップＳ２２５において、CPU７１は、接続処理前の表示画面である図３２の状態のメール画面４７１をLCD７８に表示させて、処理が終了される。
【０１５９】
ステップＳ２２３において、ダイアログボックス５１１の接続ボタン４２３が押下されたと判断された場合、ステップＳ２２６において、CPU７１は、バス７５、入出力インタフェース７６、および通信部８２を介して、ブルートゥース接続を実行し、ブルートゥースアダプタ１２、ブルートゥース対応携帯電話機３０１、もしくはブルートゥースモデム３０３に接続するための処理を実行する。
【０１６０】
ここでは、ネットワーク接続要求として、図２０を用いて説明したネットワークメニュー画面３１１において、メールボタン３２１が選択されて、図３２に示されるメール画面４７１が表示され、テキストボックス４８７乃至テキストボックス４９０に、必要な情報が記入されて、送信ボタン４９１が押下された場合について説明する。
【０１６１】
具体的には、CPU７１は、ブルートゥース接続における自分自身の状態を「待ち受け状態」から「問い合わせ（Inquiry）状態」とし、通信部８２を介して、マスターとなるブルートゥースアダプタ１２、ブルートゥース対応携帯電話機３０１、もしくはブルートゥースモデム３０３がブロードキャストしているIQパケットを受信する。CPU７１は、受信したIQパケットに対して、FHSパケットを送信する。
【０１６２】
ステップＳ２２６の処理の実行中、図３３に示されるように、「Bluetooth接続中」というメッセージが表示されたダイアログボックス５０１が表示される。なお、ステップＳ２２６の処理が短時間で終了する場合、ダイアログボックス５０１の表示を省略しても良い。
【０１６３】
なお、図２２を用いて説明したブルートゥース設定処理によって、複数のブルートゥース機器が設定され、接続可能な状態である場合、ステップＳ２２６において、接続設定されている複数のブルートゥース機器のうちから、接続に利用するブルートゥース機器をユーザが選択することができるようにしても良い。
【０１６４】
FHSパケットを受信したブルートゥースアダプタ１２、ブルートゥース対応携帯電話機３０１、もしくはブルートゥースモデム３０３は、「呼び出し（Page）状態」に遷移し、IDパケットを送信する。
【０１６５】
ステップＳ２２７において、CPU７１は、通信部８２が、IDパケットを受信したか否かに基づいて、ブルートゥース対応携帯電話機３０１、もしくはブルートゥースモデム３０３などのブルートゥース機器に接続できたか否かを判断する。
【０１６６】
ステップＳ２２７において、ブルートゥース機器に接続できたと判断された場合、ステップＳ２２８において、CPU７１は、通信部８２を制御して、ブルートゥース機器を介してダイヤルアップ接続を実行し、作成したメールを、バス７５、入出力インタフェース７６、通信部８２、ブルートゥースアダプタ１２（もしくは、ブルートゥース対応携帯電話機３０１、あるいはブルートゥースモデム３０３）、および公衆回線網１３を介して、インターネットサービスプロバイダＡ１７のメールサーバ５３に送信し、処理が終了される。
【０１６７】
図３５に示されるように、メールの送信中には、ユーザにメールの送信中であることを伝えるためのダイアログボックス５３１が表示される。ダイアログボックス５３１には、メールの送信処理をキャンセルする場合に押下されるキャンセルボタン５４１が設けられている。
【０１６８】
ステップＳ２２７において、ブルートゥース機器に接続できなかったと判断された場合、ステップＳ２２９において、CPU７１は、エラーメッセージに対応するデータを、バス７５および入出力インタフェース７６を介して、LCD７８に出力して表示させ、処理が終了される。
【０１６９】
なお、ステップＳ２２１において受けたネットワーク接続要求がメールの送信要求ではない場合、CPU７１は、ネットワークシステム１４、インターネットサービスプロバイダＡ１７、もしくはインターネットサービスプロバイダＢ１８のうち、ユーザの操作に対応するサーバにアクセスするために、同様の処理によりブルートゥース接続を実行した後、対応するサーバにアクセスするためのダイヤルアップ接続処理を実行する。
【０１７０】
以上説明した処理により、ダイヤルアップ接続が実行され、例えば、電子メールの送受信、アルバムの編集、あるいは、所望のウェブページの閲覧などが実行された後、ユーザがダイヤルアップ接続を切断すると同時に、ブルートゥース接続も切断される。カムコーダ１１は、次のネットワーク接続要求までは、ブルートゥース機器と接続されない状態（待ち受け状態）であるので、ブルートゥース接続とダイヤルアップ接続との操作を別々に実行することなしに、消費電力量を削減することが可能となる。
【０１７１】
なお、ここでは、カムコーダ１１がブルートゥース接続とダイヤルアップ接続を連動して実行するものとして説明したが、本発明は、カムコーダ１１のみならず、例えば、パーソナルコンピュータ、PDA、携帯型電話機など、ブルートゥース接続を介して、公衆回線網１３に接続することが可能なあらゆる機器において適応することが可能である。
【０１７２】
また、ここでは、公衆回線網１３を介してインターネット１０に接続する場合について説明したが、例えば、イーサネット（登録商標）などを介して、LAN（Local Area Network）もしくはWAN（Wide Area Network）などのインターネット１０とは異なるネットワークに接続するためにブルートゥース接続を用いる場合においても、本発明を適応することが可能である。
【０１７３】
上述した一連の処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、ネットワークや記録媒体からインストールされる。
【０１７４】
この記録媒体は、図３乃至図６に示されるように、装置本体とは別に、ユーザにプログラムを提供するために配布される、プログラムが記録されている磁気ディスク９１（フレキシブルディスクを含む），１３１，１７１，２１１、光ディスク９２（CD-ROM（Compact Disk-Read Only Memory）,DVD（Digital Versatile Disk）を含む），１３２，１７２，２１２、光磁気ディスク９３（ＭＤ（Mini-Disk）（商標）を含む），１３３，１７３，２１３、もしくは半導体メモリ９４，１３４，１７４，２１４などよりなるパッケージメディアにより構成されるだけでなく、装置本体に予め組み込まれた状態でユーザに提供される、プログラムが記録されているROM７２，１１２，１５２，１９２や、記憶部１１８，１５８，１９８に含まれるハードディスクなどで構成される。
【０１７５】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０１７６】
また、本明細書において、システムとは、複数の装置により構成される装置全体を表すものである。
【０１７７】
【発明の効果】
本発明の情報処理装置および情報処理方法、並びにプログラムによれば、常時ブルートゥース接続を行っている場合に比べて、消費電力量を抑えるようにすることができる。
【図面の簡単な説明】
【図１】従来のネットワーク接続システムの構成を示す図である。
【図２】本発明を適用したサービス提供システムの構成を示す図である。
【図３】図２のカムコーダの構成を示すブロック図である。
【図４】図２のカスタマ登録ウェブサーバの構成を示すブロック図である。
【図５】図２のカムコーダ用イメージステーションの構成を示すブロック図である。
【図６】図２のカスタマデータベースの構成を示すブロック図である。
【図７】図２のサービス提供システムにおけるカスタマ登録処理を説明するフローチャートである。
【図８】図２のカムコーダのデジタルイメージカスタマ登録処理を説明するフローチャートである。
【図９】図２のネットワークシステムのデジタルイメージカスタマ登録処理を説明するフローチャートである。
【図１０】図２のカムコーダのＩＳＰ−Ａかんたん登録処理を説明するフローチャートである。
【図１１】図２のインターネットサービスプロバイダＡのカスタマデータベースのＩＳＰ−Ａかんたん登録処理を説明するフローチャートである。
【図１２】図１１のステップＳ７９におけるＩＳＰ−Ａ設定情報の例を示す図である。
【図１３】図１１のステップＳ８０におけるカムコーダ用設定情報の例を示す図である。
【図１４】インターネットに接続する場合における設定項目を説明する図である。
【図１５】図２のカムコーダのアルバム利用登録処理を説明するフローチャートである。
【図１６】図２のカムコーダ用イメージステーションのアルバム登録利用処理を説明するフローチャートである。
【図１７】図２のカムコーダのアクセス処理を説明するフローチャートである。
【図１８】共通のIDとパスワードの利用を説明する図である。
【図１９】ブルートゥース機器を用いた接続について説明するための図である。
【図２０】ネットワークメニュー画面について説明するための図である。
【図２１】設定メニュー画面について説明するための図である。
【図２２】ブルートゥース設定処理について説明するためのフローチャートである。
【図２３】ブルートゥース設定画面について説明するための図である。
【図２４】図２３のリストボックスの表示方法について説明するための図である。
【図２５】新規登録画面について説明するための図である。
【図２６】検索結果の表示について説明するための図である。
【図２７】  PIN入力画面について説明するための図である。
【図２８】設定内容を確認するための表示画面について説明するための図である。
【図２９】ネットワーク接続処理について説明するためのフローチャートである。
【図３０】ブラウザ画面について説明するための図である。
【図３１】アルバムメニュー画面について説明するための図である。
【図３２】メール画面について説明するための図である。
【図３３】ブルートゥース接続中に表示されるダイアログボックスについて説明するための図である。
【図３４】ダイヤルアップ接続を確認するために表示されるダイアログボックスについて説明するための図である。
【図３５】メールの送信中に表示されるダイアログボックスについて説明するための図である。
【符号の説明】
１１  カムコーダ，  １２  ブルートゥースアダプタ，  １３  公衆回線網，１４  ネットワークシステム，  １５  ネットワークサービスビジネスセンタ，  １７  インターネットサービスプロバイダＡ，  ３１  アクセスポイント，３２  カスタマデータベース，  ３３  カスタマ登録ウェブサーバ，  ３４  登録認証プラットフォーム，  ４１  カムコーダ用イメージステーション，  ５１  アクセスポイント，  ５２  カスタマデータベース，  ５３  メールサーバ，  ５４  POPサーバ，  ５５  SMTPサーバ，  ７１  CPU，  ７３  RAM，  ７７  入力部，  ７８  LCD，  ８２  通信部，  ３０１  ブルートゥース対応携帯電話機，  ３０３  ブルートゥースモデム
【図１】
0004284932.tif 000002
【図２】
0004284932.tif 000003
【図３】
0004284932.tif 000004
【図４】
0004284932.tif 000005
【図５】
0004284932.tif 000006
【図６】
0004284932.tif 000007
【図７】
0004284932.tif 000008
【図８】
0004284932.tif 000009
【図９】
0004284932.tif 000010
【図１０】
0004284932.tif 000011
【図１１】
0004284932.tif 000012
【図１２】
0004284932.tif 000013
【図１３】
0004284932.tif 000014
【図１４】
0004284932.tif 000015
【図１５】
0004284932.tif 000016
【図１６】
0004284932.tif 000017
【図１７】
0004284932.tif 000018
【図１８】
0004284932.tif 000019
【図１９】
0004284932.tif 000020
【図２０】
0004284932.tif 000021
【図２１】
0004284932.tif 000022
【図２２】
0004284932.tif 000023
【図２３】
0004284932.tif 000024
【図２４】
0004284932.tif 000025
【図２５】
0004284932.tif 000026
【図２６】
0004284932.tif 000027
【図２７】
0004284932.tif 000028
【図２８】
0004284932.tif 000029
【図２９】
0004284932.tif 000030
【図３０】
0004284932.tif 000031
【図３１】
0004284932.tif 000032
【図３２】
0004284932.tif 000033
【図３３】
0004284932.tif 000034
【図３４】
0004284932.tif 000035
【図３５】
0004284932.tif 000036